(57)【要約】【課題】耐荷重性に優れ、そして軸の直進性にも優れる新規な構成の直動軸受を提供すること。【解決手段】外周面に各々長さ方向に延びる三本以上の溝（１１ａ〜１１ｉ）が互いに周方向に間隔をあけて形成されている非回転摺動軸（１１）、上記の各々の溝に溝の長さ方向に互いに間隔をあけて配置されている、各々前記の溝に沿って転動可能な三個以上の柱状の転動体、前記の軸の周囲に配置されている、上記の各々の転動体を内周面側と外周面側とに部分的に突き出した状態で回転可能に収容保持する複数個の透孔を持つ円筒状の転動体保持器（１３）、および転動体保持器の周囲に前記保持器の外周面側に突き出された各々の転動体と接触した状態で嵌め合わされている筒体（１４）からなる直動軸受であって、前記の軸が持つ三本以上の溝が、そのうちの任意の二本の溝が互いに前記軸の直径方向に対向することのない位置関係にて配置されていることを特徴とする直動軸受。【選択図】図２
2010031907.tif 000002
【特許請求の範囲】
【請求項１】
外周面に各々長さ方向に延びる三本以上の溝が互いに周方向に間隔をあけて形成されている非回転摺動軸、上記の各々の溝に該溝の長さ方向に互いに間隔をあけて配置されている、各々該溝に沿って転動可能な三個以上の柱状の転動体、該軸の周囲に配置されている、上記の各々の転動体を内周面側と外周面側とに部分的に突き出した状態で回転可能に収容保持する複数個の透孔を持つ円筒状の転動体保持器、および転動体保持器の周囲に該保持器の外周面側に突き出された各々の転動体と接触した状態で嵌め合わされている筒体からなる直動軸受であって、
前記の軸が持つ三本以上の溝が、そのうちの任意の二本の溝が互いに該軸の直径方向に対向することのない位置関係にて配置されていることを特徴とする直動軸受。
【請求項２】
軸の持つ三本以上の溝が、該軸の周方向に等間隔に配置されている請求項１に記載の直動軸受。
【請求項３】
各々の転動体の外周面が、該転動体の長さ方向の中央部における直径が最大となるように膨出している請求項１に記載の直動軸受。
【発明の詳細な説明】
【技術分野】
【０００１】
本発明は、検査対象物が配置されるステージ、あるいは検査対象物の上方に配置される検査装置が設置された基台を昇降可能に支持するために特に有利に用いることができる直動軸受に関する。
【背景技術】
【０００２】
従来より、検査対象物、例えば、回路基板の表面に形成された微細な電気配線のパターンは、この回路基板の上方に配置されたＣＣＤ（電荷結合素子：charge coupled device）カメラなどの検査装置により撮像された画像に基づく検査が行なわれている。
【０００３】
このような微細な電気配線のパターンの検査に際しては、ＣＣＤカメラの焦点を回路基板の表面に精密に一致させるため、回路基板は昇降可能なステージの上に配置される。このステージを昇降させるため、ステージの底面に固定される軸を昇降（長さ方向に前進もしくは後退）可能に支持する直動軸受が用いられる。回路基板の電気配線のパターンを精度良く、そして効率良く検査するためには、回路基板が配置されるステージを、その表面を傾斜させることなく昇降させる必要がある。このため、直動軸受には、ステージを支持する軸を、その長さ方向に高精度で直進させることが必要とされる。
【０００４】
また、検査対象物の検査は、その上方に配置された検査装置を昇降させて行なう場合もある。このような場合、検査装置は昇降可能な基台に設置される。このような基台を昇降させるため、この基台に固定される軸を昇降可能に支持する直動軸受が用いられる。このような基台もまた、検査装置を傾斜させることなく昇降させる必要がある。このため、直動軸受には、検査装置のような大きな負荷が加わった場合にも、前記基台を支持する軸を、その長さ方向に高精度で直進させることが必要とされる。
【０００５】
図７は、従来の直動軸受の構成を示す断面図であり、そして図８は、図７に示す転動体２ａの近傍の部位を図の下側から見た拡大図である。但し、図８には、図７に示す筒体４は記入していない。
【０００６】
図７及び図８に示す直動軸受５は、外周面に各々長さ方向に延びる八本の溝１ａ〜１ｈが互いに周方向に間隔をあけて形成されている軸１、各々の溝に溝の長さ方向に互いに間隔をあけて配置されている、各々前記溝に沿って転動可能な三個以上の柱状の転動体（例えば、溝１ａに配置された転動体２ａと、図において転動体２ａの後方側に配置された複数個の転動体）、軸１の周囲に配置されている、上記の各々の転動体を内周面側と外周面側とに部分的に突き出させた状態で回転可能に収容保持する複数個の透孔（例、透孔３ａ〜３ｈ）を持つ円筒状の転動体保持器３、および転動体保持器３の周囲に保持器３の外周面側に突き出された各々の転動体と接触した状態で嵌め合わされている筒体４から構成されている。この直動軸受５は、各々の転動体が筒体４と軸１とに線接触するため耐荷重性に優れている。なお、この直動軸受５と同様の構成の直動軸受は、例えば、特許文献１に記載されている。
【特許文献１】特開２０００−１２０６７１号公報（第１図〜第３図）
【発明の開示】
【発明が解決しようとする課題】
【０００７】
前記のように、図７の従来の直動軸受５は、各々の柱状の転動体が筒体４と軸１とに線接触するため優れた耐荷重性を示す。しかしながら、このような直動軸受５の筒体４の内周面あるいは非回転摺動軸１の溝を精密な形状に機械加工することは難しい。特に、非回転摺動軸１の外周面に、例えば、研削によって、浅い溝を前記軸１の長さ方向に精密な形状にて機械加工することは極めて難しい。このため、筒体４の内周面及び溝の底面の各々には微細な凹凸が形成され、このような微細な凹凸が原因で筒体４の内周面と溝の底面との間隔が僅かに変動する。このような変動は、転動体の長さ方向の中心位置に対して非対称に発生する場合がある。
【０００８】
このため、例えば、図７に記入した矢印７１が示す位置に微細な突起が存在して溝１ａの深さが小さくなった場合に、柱状の転動体２ａが前記位置にて筒体４と溝１ａとに強く挟まれる。これと同時に、軸１には上方に力が付与されて、前記転動体２ａと対向する柱状の転動体２ｅもまた、矢印７２が示す位置にて筒体４と溝１ｅとに強く挟まれる。
【０００９】
このような状態で、非回転摺動軸１が、図８に記入した矢印８１が示す方向（下方）に摺動すると、転動体保持器３の透孔３ａの内部において、破線で記入した転動体２ａが、図８にて左側の部分が筒体（図７：４）と溝１ａとに強く挟まれているため、下方に転動しながら実線で記入したように傾斜して配置される。その結果、柱状の転動体２ａは、矢印８２が示す方向に転動するようになる。同様に、転動体２ａと対向している転動体（図７：２ｅ）もまた、矢印８２が示す方向に転動するようになる。このように、互いに軸１の直径方向に対向する転動体２ａと転動体（図７：２ｅ）とが、共に矢印８２が示す方向（矢印８１で示した軸１の進行方向と傾斜した方向）に転動すると、非回転摺動軸１に矢印８２が示す方向に力が付与されるため、軸１を直進させる精度（以下、軸の直進性と記載する場合がある）が低下する。
【００１０】
本発明の課題は、耐荷重性に優れ、そして軸の直進性にも優れる新規な構成の直動軸受を提供することにある。
【課題を解決するための手段】
【００１１】
本発明は、外周面に各々長さ方向に延びる三本以上の溝が互いに周方向に間隔をあけて形成されている非回転摺動軸、上記の各々の溝に溝の長さ方向に互いに間隔をあけて配置されている、各々前記の溝に沿って転動可能な三個以上の柱状の転動体、前記の軸の周囲に配置されている、上記の各々の転動体を内周面側と外周面側とに部分的に突き出した状態で回転可能に収容保持する複数個の透孔を持つ円筒状の転動体保持器、および転動体保持器の周囲に前記保持器の外周面側に突き出された各々の転動体と接触した状態で嵌め合わされている筒体からなる直動軸受であって、前記の軸が持つ三本以上の溝が、そのうちの任意の二本の溝が互いに前記軸の直径方向に対向することのない位置関係にて配置されていることを特徴とする直動軸受にある。
【００１２】
本発明の直動軸受の好ましい態様は、次の通りである。
（１）軸の持つ三本以上の溝が、前記軸の周方向に等間隔に配置されている。
（２）各々の転動体の外周面が、前記転動体の長さ方向の中央部における直径が最大となるように膨出している。
【発明の効果】
【００１３】
本発明の直動軸受は、非回転摺動軸が柱状の転動体を介して筒体に支持されているため耐荷重性に優れ、そして非回転摺動軸の持つ三本以上の溝が所定の位置関係で配置されているため前記軸を高精度で直進させることができる。
【発明を実施するための最良の形態】
【００１４】
本発明の直動軸受を、添付の図面を用いて説明する。図１は、本発明の直動軸受の構成例を示す正面図である。図２は、図１に記入した切断線II−II線に沿って切断した直動軸受１０の断面図である。そして図３は、図２に示す転動体１２ａの近傍の部位の拡大図である。
【００１５】
図１〜図３に示す直動軸受１０は、外周面に各々長さ方向に延びる９本の溝１１ａ〜１１ｉが互いに周方向に間隔をあけて形成されている非回転摺動軸１１、上記の各々の溝に溝の長さ方向に互いに間隔をあけて配置されている、各々前記の溝に沿って転動可能な１２個の柱状の転動体（例えば、溝１１ａに配置された転動体１２ａ、１２ａ、１２ａ、〜）、軸１１の周囲に配置されている、上記の各々の転動体を内周面側と外周面側とに部分的に突き出した状態で回転可能に収容保持する複数個の透孔（例えば、透孔１３ａ〜１３ｉ）を持つ円筒状の転動体保持器１３、および転動体保持器１３の周囲に保持器１３の外周面側に突き出された各々の転動体と接触した状態で嵌め合わされている筒体１４から構成されている。そして、この直動軸受１０は、前記の軸１１が持つ９本の溝が、そのうちの任意の二本の溝が互いに軸１１の直径方向に対向することのない位置関係にて配置されていることに大きな特徴がある。
【００１６】
直動軸受１０の非回転摺動軸１１は、例えば、その下端が基台に設置された回転駆動装置に送りねじを介して接続され、そして上端が検査対象物が配置されるステージの底面に固定される。その一方で、筒体１４は基台に立設された支柱に支持固定される。そして、前記の回転駆動装置を作動させ、軸１１を昇降（図１の上下方向に摺動）させることにより、軸１１の各々の溝の底面と筒体１４の内周面とに挟まれた各々の転動体が前記溝に沿って転動しながら軸１１を支持するため、軸１１の上端に固定されたステージを円滑に昇降させることができる。
【００１７】
直動軸受１０は、各々の柱状の転動体、例えば、図３に示す転動体１２ａが、軸１１の溝１１ａの底面と、筒体１４の内周面との各々に線接触するため、転動体として一般的な球状の転動体を用いる場合と比較して、優れた耐荷重性を示す。
【００１８】
非回転摺動軸１１は、例えば、アルミニウム、銅合金（例、真鍮）あるいは鋼（例、ステンレススチール）に代表される金属材料から形成される。軸１１の外周面には、例えば、研削加工によって、各々長さ方向に延びる９本の溝１１ａ〜１１ｉが互いに周方向に間隔をあけて形成される。
【００１９】
非回転摺動軸を各々の溝に配置された転動体を介して筒体により安定に支持するため、非回転摺動軸の外周面には、少なくとも３本の溝が形成される。この溝の本数が多いほど、非回転摺動軸がより多くの数の転動体を介して筒体により支持されるために直動軸受の耐荷重性が向上するが、その反面、直動軸受の作製（特に、非回転摺動軸の溝の研削加工、そして転動体保持器の透孔の孔あけ加工）に手間がかかる。従って、非回転摺動軸の溝の本数は、この軸に付与される荷重の大きさにも依るが、通常、３〜３０本の範囲内に設定される。
【００２０】
非回転摺動軸１１の溝１１ａ〜１１ｉの各々には、溝の長さ方向に沿って互いに間隔をあけた状態にて、各々前記の溝に沿って転動可能な１２個の柱状の転動体が配置されている。例えば、溝１１ａには、１２個の転動体１２ａ、１２ａ、１２ａ、〜が配置されている。これらの転動体もまた、例えば、アルミニウム、銅合金（例、真鍮）あるいは鋼（例、ステンレススチール）に代表される金属材料から形成される。
【００２１】
非回転摺動軸の各々の溝に配置される転動体の数は３個以上であれば特に制限はない。各々の溝に配置される転動体の数が多いほど直動軸受の耐荷重性が向上するが、その反面、直動軸受の作製（特に、転動体保持器の透孔の孔あけ加工）に手間がかかる。従って、各々の溝に配置される転動体の数は、通常、３〜３０個の範囲内に設定される。
【００２２】
また、図１に示すように、直動軸受１０では、例えば、非回転摺動軸１１を上昇させると、転動体保持器１３に保持された複数個の転動体のうち、上方側に配置されている転動体が筒体１４の外部に配置される。従って、仮に各々の溝に配置される転動体の数が２個であると、非回転摺動軸の昇降により一方の転動体が筒体の外部に配置された際に、非回転摺動軸が各々の溝に配置された残りの１個の転動体を介して筒体に不安定に支持されるため、非回転摺動軸の直進性が低下する。このように、非回転摺動軸の昇降により１個の転動体が筒体の外部に配置された場合であっても、筒体の内部に少なくとも２個の転動体が配置されるように、各々の溝には少なくとも３個の転動体が配置される。筒体による非回転摺動軸の支持を確実にするため、各々の溝に収容される転動体の数は、４〜３０個の範囲内にあることが好ましく、５〜３０個の範囲内にあることが更に好ましい。
【００２３】
非回転摺動軸１１の周囲には、上記の各々の転動体を内周面側と外周面側とに部分的に突き出した状態で回転可能に収容保持する複数個の透孔（例、透孔１３ａ〜１３ｉ）を持つ円筒状の転動体保持器１３が配置されている。
【００２４】
各々の転動体を、転動体保持器１３の内周面側と外周面側とに部分的に突き出させるため、保持器１３の内径は、非回転摺動軸１１の直径よりも大きな値に設定され、そして保持器１３の外径は、筒体１４の内径よりも小さな値に設定される。
【００２５】
転動体保持器１３は、例えば、アルミニウム、銅合金（例、真鍮）あるいは鋼（例、ステンレススチール）などの金属材料から形成される。転動体保持器１３が備える透孔の孔あけ加工が容易であることから、アルミニウムや銅合金を用いることが好ましい。また、転動体保持器１３は、例えば、ポリアセタール樹脂、ポリフェニレンスルフィド（ＰＰＳ）樹脂、およびポリエーテルエーテルケトン（ＰＥＥＫ）樹脂などの樹脂材料から形成することもできる。
【００２６】
転動体保持器１３の周囲には、保持器１３の外周面側に突き出された各々の転動体と接触した状態で筒体１４が嵌め合わされている。筒体１４は、例えば、アルミニウム、銅合金（例、真鍮）あるいは鋼（例、ステンレススチール）に代表される金属材料から形成される。
【００２７】
そして、直動軸受１０は、非回転摺動軸１１が持つ９本の溝が、図２に示すように、そのうちの任意の二本の溝が互いに軸１１の直径方向に対向することのない位置関係にて配置されていることに大きな特徴がある。この「二本の溝が互いに軸の直径方向に対向する」とは、一方の溝の底面の幅方向の中央の位置と、他方の溝の底面の幅方向の中央の位置とを結ぶ直線が、非回転摺動軸の中心を通ることを意味する。以下に、図４及び図５を参照しながら、非回転摺動軸の溝の位置関係について詳しく説明する。
【００２８】
図４は、従来の直動軸受の非回転摺動軸が持つ溝の位置関係を示している。図４に示すように、非回転摺動軸１が持つ８本の溝１ａ〜１ｈは、そのうちの任意の二本の溝が互いに軸１の直径方向に対向する位置関係にて配置されている。
【００２９】
例えば、溝１ａ及び溝１ｅの二本の溝は、互いに軸１の直径方向に対向している。すなわち、溝１ａの底面の幅方向の中央の位置と、溝１ｅの底面の幅方向の中央の位置とを結ぶ直線Ｌ1は、非回転摺動軸１の中心Ｏを通っている。
【００３０】
同様に、例えば、溝１ｂ及び溝１ｆの二本の溝もまた、互いに軸１の直径方向に対向している。すなわち、溝１ｂの底面の幅方向の中央の位置と、溝１ｆの底面の幅方向の中央の位置とを結ぶ直線Ｌ2もまた、非回転摺動軸１の中心Ｏを通っている。
【００３１】
図５は、上記の本発明の直動軸受１０の非回転摺動軸１１が持つ溝の位置関係を示している。図５に示すように、非回転摺動軸１１が持つ９本の溝１１ａ〜１１ｉは、そのうちの任意の二本の溝が互いに軸１１の直径方向に対向することのない位置関係にて配置されている。
【００３２】
例えば、溝１１ａ及び溝１１ｅの二本の溝は、互いに軸１１の直径方向に対向していない。すなわち、溝１１ａの底面の幅方向の中央の位置と、溝１１ｅの底面の幅方向の中央の位置とを結ぶ直線Ｌ11は、非回転摺動軸１１の中心Ｏを通ることはない。
【００３３】
同様に、例えば、溝１１ａ及び溝１１ｆの二本の溝もまた、互いに軸１１の直径方向に対向していない。すなわち、溝１１ａの底面の幅方向の中央の位置と、溝１１ｆの底面の幅方向の中央の位置とを結ぶ直線Ｌ12もまた、非回転摺動軸１１の中心Ｏを通ることはない。
【００３４】
同様に、溝１１ｉ及び溝１１ｄの二本の溝、そして溝１１ｉ及び溝１１ｅの二本の溝もまた、それぞれ互いに軸１１の直径方向には対向していない。
【００３５】
このように、非回転摺動軸１１が持つ９本の溝１１ａ〜１１ｉは、そのうちの任意の二本の溝が互いに軸１１の直径方向に対向することのない位置関係にて配置されている。
【００３６】
そして、本発明の直動軸受は、非回転摺動軸が柱状の転動体を介して筒体に支持されているため優れた耐荷重性を示し、そして非回転摺動軸の持つ三本以上の溝が、そのうちの任意の二本の溝が互いに前記軸の直径方向に対向することのない位置関係にて配置されているため前記軸が極めて良好な直進性を示す。
【００３７】
本願発明者等は、非回転摺動軸の溝の位置関係と、この軸の直進性との関係を明らかにするため、下記のように直動軸受を試作して、その非回転摺動軸の直進性の評価を行なった。
【００３８】
先ず、図１〜３に示す本発明の直動軸受１０と同様の構成の直動軸受（以下、実施例の直動軸受と云う）を作製した。すなわち、実施例の直動軸受の非回転摺動軸が持つ９本の溝は、そのうちの任意の二本の溝が互いに前記軸の直径方向に対向することのない位置関係にて配置されている。
【００３９】
なお、前記の直動軸受の筒体、柱状の転動体、そして非回転摺動軸は鋼から形成し、そして転動体保持器はアルミニウムから形成した。
【００４０】
そして、比較のために、外周面に合計で１２本の溝が周方向に互いに等間隔に形成された非回転摺動軸を用いること以外は実施例の直動軸受と同一の構成の直動軸受（以下、比較例の直動軸受と云う）を作製した。比較例の直動軸受の非回転摺動軸が持つ１２本の溝は、軸の直径方向に対向する二本の溝の組の６組から構成されている、すなわち前記の二本の溝の６組が各々前記軸の直径方向に対向する位置関係にて配置されている。
【００４１】
実施例の直動軸受及び比較例の直動軸受の各々の非回転摺動軸の直進性は、下記の手順によって評価した。
【００４２】
先ず、基台に設置された回転駆動装置の回転軸に、ボールベアリングを介して、作製した直動軸受の非回転摺動軸の一方の端部を接続した。そして、直動軸受の筒体を基台に立設したフレームに支持固定した。そして、回転駆動装置を作動させて、直動軸受の非回転摺動軸を３０ｍｍの距離にて５往復させた。このとき、軸の他方の端面にレーザ光を照射して、軸の端面に反射されたレーザ光の進行方向を計測することにより、筒体の中心軸方向に対する非回転摺動軸の軸方向の傾斜角度の最大値（非回転摺動軸に瞬間的に生じる撓みの最大値に相当する）を求めた。
【００４３】
その結果、実施例の直動軸受は、比較例の直動軸受と比較して、前記の非回転摺動軸受の傾斜角度が６０％に低減され、極めて優れた直進性を示した。
【００４４】
このように、本発明の直動軸受が極めて優れた直進性を示す理由は、以下のように理解することができる。
【００４５】
図１〜図３に示す本発明の直動軸受１０においても、例えば、図２に記入した矢印２１が示す位置に微細な突起が存在して溝１１ａの深さが小さくなった場合に、柱状の転動体１２ａが前記位置にて筒体１４と溝１１ａとに強く挟まれ、これと同時に軸１１には上方に力が付与される。しかしながら、この直動軸受１０の転動体１２ａと対向する位置には、別の転動体は配置されていない。
【００４６】
このため、図２の直動軸受１０では、図７の直動軸受５の場合のように、軸の直径方向に対向する２個の転動体が、筒体と溝とに同時に強く挟まれ、転動体保持器の透孔の内部で傾斜移動することはない。
【００４７】
また、転動体１２ａと対向する位置に別の転動体が存在しないため、軸１１が極僅かに上方に移動し、これにより筒体１４と溝１１ａとが転動体１２ａを挟む力が低下する。このため、転動体１２ａの保持器１３の透孔１３ａの内部での傾斜移動も抑制される。
【００４８】
また、前記の軸１１に上方に付与される力は、通常は（溝１１ａと、溝１１ｅあるいは溝１１ｆとの各々の長さ方向の同一の位置に前記と同様の微細な突起が存在する場合を除いて）、主として、転動体１２ｅ、１２ｆの各々の長さ方向の中央の位置に加わる。このため、転動体１２ｅ、１２ｆの各々は、保持器１３の透孔１３ｅ、１３ｆの各々の内部で傾斜移動することはない。また、前記の軸１１に上方に付与される力は、主として、転動体１２ｅ及び転動体１２ｆの２個の転動体に分散して付与される。このため、仮に前記の軸１１に上方に付与される力が、転動体１２ｅあるいは転動体１２ｆの長さ方向の中央の位置とは異なる位置に加わった場合であっても、各々の転動体は、図７の直動軸受５の転動体２ｅのように筒体と溝とに強く挟まれることはない。すなわち、直動軸受１０では、筒体１４と溝とに挟まれる転動体１２ａとは異なる転動体（代表例、転動体１２ｅ、１２ｆ）の保持器１３の透孔の内部での傾斜移動も効果的に抑制される。
【００４９】
このように、本発明の直動軸受は、保持器の各々の透孔の内部で転動体が傾斜移動すること、特に２個の転動体が同時に傾斜移動することを効果的に抑制することができるため、その非回転摺動軸が極めて優れた直進性を示すと理解される。
【００５０】
本発明の直動軸受において、非回転摺動軸の持つ三本以上の溝は、この軸の周方向に等間隔に配置されていることが好ましい。従って、非回転摺動軸が持つ三本以上の溝が、そのうちの任意の二本の溝が互いに前記軸の直径方向に対向することのない位置関係にて、更には軸の周方向に等間隔に配置されるには、軸の溝の本数は、３本、５本、７本、９本、１２本、〜のように奇数本であることが好ましい。非回転摺動軸が持つ三本以上の溝が、この軸の周方向に等間隔に配置されていると、非回転摺動軸が転動体を介して筒体に安定に支持されるため、この軸の直進性が更に良好になる。
【００５１】
また、本発明の直動軸受において、各々の転動体の外周面は、転動体の長さ方向の中央部における直径が最大となるように膨出していることが好ましい。本発明の直動軸受の転動体としては、外周面が膨出していない柱状の転動体、例えば、円柱状の転動体を用いることもできる。しかしながら、円柱状の転動体を用いると、溝の底面を転動体に応じて極めて平滑な平面に形成しないと、前記のように転動体が転動体保持器の透孔の内部で傾斜移動し易くなる。
【００５２】
前記のように、本発明の直動軸受においては、非回転摺動軸が持つ三本以上の溝が、そのうちの任意の二本の溝が互いに前記軸の直径方向に対向することのない位置関係にて配置される。
【００５３】
非回転摺動軸が持つ三本以上の溝は、そのうちの任意の二本の溝が各々の溝の転動体（中心軸が溝と直交するように配置された転動体）との接触面が互いに前記軸の直径方向に重なることのない位置関係にて配置されていることが好ましい。各々の溝の転動体との接触面が軸の直径方向にて重なり合う面積が小さいほど、二個の転動体が筒体と溝とに同時に強く挟まれる頻度が低下するからである。
【００５４】
そして、非回転摺動軸が持つ各々の溝は、溝の底面の幅方向の中心位置と前記軸の中心とを結ぶ直線が、別の溝の底面と交差することのない位置に配置されていることが更に好ましい。このような溝は、この溝と反対側の軸の外周面（溝が形成されていない表面部分）を基準として、例えば、研削などの機械加工によって、より精密な形状に設定することができる。このため、各々の転動体が筒体と溝とに強く挟まれること、すなわち転動体保持器の内部での転動体の傾斜移動が更に抑制され、軸の直進性が更に良好になる。
【００５５】
図６は、本発明の直動軸受の別の構成例を示す正面図である。図６の直動軸受６０の構成は、転動体保持器６３に保持されている複数個の転動体の配置（すなわち、保持器６３の透孔６３ａ〜６３ｉの配置）が異なること以外は図１の直動軸受１０と同様である。
【００５６】
図６に示すように、非回転摺動軸１１の周方向に沿って並ぶ転動体の数を、溝の数よりも少なくなるように、転動体保持器６３の透孔（例、透孔６３ａ〜６３ｉ）の形成位置を調整することにより、例えば、図６に示す非回転摺動軸１１を下降させた際に、筒体１４の内部に同時に収容される転動体の数が少なくなる。このため、転動体が筒体の内部に収容される際に、転動体が筒体１４の内周面端部近傍の部位に接触することによって発生する衝撃が小さくなり、軸の直進性が更に良好になる。
【図面の簡単な説明】
【００５７】
【図１】本発明の直動軸受の構成例を示す正面図である。
【図２】図１に記入した切断線II−II線に沿って切断した直動軸受１０の断面図である。
【図３】図２に示す転動体１２ａの近傍の部位の拡大図である。
【図４】軸の溝の位置関係について説明する図である。
【図５】軸の溝の位置関係について説明する別の図である。
【図６】本発明の直動軸受の別の構成例を示す正面図である。
【図７】従来の直動軸受の構成を示す断面図である。
【図８】図７に示す転動体２ａの近傍の部位を図の下側から見た拡大図である。但し、図７に示す筒体４は記入していない。
【符号の説明】
【００５８】
１  非回転摺動軸
１ａ、１ｂ、１ｃ、１ｄ、１ｅ、１ｆ、１ｇ、１ｈ  溝
２ａ、２ｂ、２ｃ、２ｄ、２ｅ、２ｆ、２ｇ、２ｈ  柱状の転動体
３  転動体保持器
３ａ、３ｂ、３ｃ、３ｄ、３ｅ、３ｆ、３ｇ、３ｈ  透孔
４  筒体
５  直動軸受
１０  直動軸受
１１  非回転摺動軸
１１ａ、１１ｂ、１１ｃ、１１ｄ、１１ｅ、１１ｆ、１１ｇ、１１ｈ、１１ｉ  溝
１２ａ、１２ｂ、１２ｃ、１２ｄ、１２ｅ、１２ｆ、１２ｇ、１２ｈ、１２ｉ  柱状の転動体
１３  転動体保持器
１３ａ、１３ｂ、１３ｃ、１３ｄ、１３ｅ、１３ｆ、１３ｇ、１３ｈ、１３ｉ  透孔
１４  筒体
６０  直動軸受
６３  転動体保持器
６３ａ、６３ｂ、６３ｃ、６３ｈ、６３ｉ  透孔
【図１】
2010031907.tif 000003
【図２】
2010031907.tif 000004
【図３】
2010031907.tif 000005
【図４】
2010031907.tif 000006
【図５】
2010031907.tif 000007
【図６】
2010031907.tif 000008
【図７】
2010031907.tif 000009
【図８】
2010031907.tif 000010